(57)【要約】【課題】　水中油滴型エアゾール組成物は、一般的にコート缶に収容されており、非コート缶においては缶内部の腐食を防止することができず、長期安定性をはかることができないので非コート缶に収容されることはなかったが、この発明では、非コート缶に収容しても缶内部の腐食を防止することができ、長期安定性をはかることができるエアゾール組成物を提供する。【解決手段】　この発明の水中油滴型エアゾール組成物は、水ベースの原液に、クエン酸またはその塩を含有させたものとしている。【選択図】　　　　なし【特許請求の範囲】
【請求項１】
　水ベースの原液に、クエン酸またはその塩を含有させたことを特徴とする水中油滴型エアゾール組成物。
【発明の詳細な説明】
【技術分野】
【０００１】
　この発明は、殺虫剤等の水中油滴型エアゾール組成物に関するものである。
【背景技術】
【０００２】
　従来、この種のエアゾール組成物は、一般的にコート缶に収容されている。そして、このコート缶は、硝酸塩、キレート剤、炭酸塩、亜硝酸塩、安息香酸塩を添加することにより、缶内部の腐食を防止し、エアゾール組成物の長期安定性をはかっている。
【発明の開示】
【発明が解決しようとする課題】
【０００３】
　しかしながら、この種のエアゾール組成物は、非コート缶に収容されることはまずない。これは、非コート缶においては、上記した硝酸塩、キレート剤、炭酸塩、亜硝酸塩、安息香酸塩を添加しても、缶内部の腐食を防止することができず、エアゾール組成物の長期安定性をはかることができないからである。
【０００４】
　そこで、この発明は、非コート缶に収容することのできるエアゾール組成物を提供することを目的としてなされたものである。
【課題を解決するための手段】
【０００５】
　そのため、この発明の水中油滴型エアゾール組成物は、水ベースの原液に、クエン酸またはその塩を含有させたものとしている。
【０００６】
　この発明において水ベースの原液には、ノニオン系、アニオン系、カチオン系等の界面活性剤（ノニオン系が好ましい）、水、水不溶性オイル（ケロシン、ネオチオゾール、イソプロピルミリステート、リモネン）、有効成分が配合されるが、これら配合可能な成分はこの例示した成分のみに制限されるものではない。例えば、有効成分としては、ピレスロイド系殺虫剤等の殺虫剤、ＩＢＴＡ、サリチル酸フェニル等の殺ダニ剤、殺菌剤、防黴剤、殺蟻剤、除草剤、殺鼠剤、忌避剤、消臭剤、芳香剤、洗浄剤等を挙げることができ、これらを二種以上組み合わせて使用することもできる。
【０００７】
　この発明の組成物中に含有される界面活性剤の量としては特に限定がなく広い範囲から適宜選択されるが、通常０．０５〜２０重量％（以下単に「％」と記す）、好ましくは０．１〜５％とするのがよい。界面活性剤の含有量が多過ぎると粘糊な液となり噴射が困難な状態となり、また少な過ぎると可溶化効果が低下しこの発明の所期の効果を発揮し得なくなる。
【０００８】
　この発明の組成物に配合される殺虫・殺ダニ剤としてはピレスロイド系化合物、有機リン系化合物、カーバーメート系化合物等公知のものを広く使用でき、例えばフタルスリン（Ｎ−（クリサンセモキシメチル）−３，４，５，６−テトラヒドロフタルイミド）、アレスリン、レスメトリン（５−ベンジル−３−フリルメチルクリサンセメート）、プロパルスリン（２−メチル−５−プロパルギル−３−フリルメチルクリサンセメート）、フラメトリン（５−プロパギルフルフリルクリサンセメート）、除虫菊エキス、ペルメトリン（メタフエノキシベンジル−２，２−ジメチル−３（β，β−ジクロルビニルシクロプロパンカーボキシレート）、フエノトリン（３−フエノキシベンジルクリサンセメート）、サイフエノトリン等の天然もしくは合成の殺虫成分、これらの立体異性体、光学異性体、類縁体、誘導体等を挙げることができる。
【０００９】
　この発明の組成物に配合される消臭、防臭剤としては、例えばラウリルメタクリレート、ゲラニルクロトネート、ミリスチル酸アセトフェノン、パラメチルアセトフェノンベンズアルデヒド、酢酸ベンジル、プロピオン酸ベンジル、アミルシンナミックアルデヒド、アニシックアルデヒド、ジフェニルオキサイド、安息香酸メチル、安息香酸エチル、フェニル酢酸メチル、フェニル酢酸エチル、ネオリン、サフロール、セダウッド油、セダ菜油、シトロネラ油、ラバンテン油、ペテイグレイン油、レモングラス油、リモネン油等を挙げることができる。。
【００１０】
　この発明の組成物に配合される殺菌成分としては、例えば２，４，４’−トリクロロ−２’−ハイドロキシジフェニル　エーテル（イルガサンＤＰ３００、チバガイギー社製）、２，３，５，６−テトラクロロ−４（メチルスルフォニル）ピリジン（ダウシルＳ−１３、ダウケミカル社製）、アルキルベンジル　ジメチルアンモニウム　クロライド（塩化ベンザルコニウム、日光ケミカルズ株式会社製）、ベンジルジメチル｛２−〔２−（ｐ−１，１，３，３−テトラメチル　ブチルフェノキシ）エトキシ〕エチル｝アンモニウム　クロライド（塩化ベンゼトニウム、三共株式会社製）等を挙げることができる。
【００１１】
　この発明の組成物に配合される害虫忌避剤としては、例えばジメチルフタレート、２，３，４，５−ビス（△2 −ブチレン）−テトラハイドロフラン、２，３，４，５−ビス−（△2 −ブチレン）−テトロヒドロフルフリルアルコール、Ｎ，Ｎ−ジエチル−ｍ−トルアミド（ＤＥＴ）、カプリル酸ジエチルアミド、２，３，４，５−ビス−（△2 −ブチレン）−テトラヒドロフルフラール、ジ−ｍ−プロピル−イソシンコメロネート、第２級ブチルスチリルケトン等を挙げることができる。
【００１２】
　この発明の組成物に配合される植物生長調節剤としては、例えば４−クロロフェノキシ酢酸、ジベレリン、Ｎ−（ジメチルアミノ）スクシンアミド、α−ナフチルアセトアミド等を挙げることができる。
【００１３】
　この発明の組成物に配合される除草剤としては、例えば２，４−Ｄソーダ塩、３，４−ジクロロプロピオンアニリド等を挙げることができる。
【００１４】
　この発明の組成物中に配合される有効成分の量としては特に限定がなく広い範囲から適宜選択されるが、例えば殺虫成分の場合、通常０．０１〜５％、好ましくは０．０５〜１％とするのがよい。殺虫成分の量が多過ぎると一液を保つべく使用する界面活性剤の量が多くなり従って粘糊な液となり好ましくなく、また少な過ぎると優れた殺虫効果が発揮されず好ましくない。
【００１５】
　この発明の組成物に使用される噴射剤としては公知のものを広く使用でき、例えばＬＰＧ、ジメチルエーテル、炭酸ガス、窒素等を挙げることができる。これらのうちでＬＰＧを用いるのが好ましい。この発明の組成物中に配合されるべき噴射剤の量は原液即ち界面活性剤、殺虫成分及び水の総量に対して同容量以下である。この発明の組成物中に噴射剤を通常５〜４０％、好ましくは５〜２０％配合するのがよい。
【００１６】
　この発明の組成物には、更に必要に応じて協力剤、防錆剤、防腐剤、香料等の第三成分を適宜添加し得る。第三成分としてはこの分野で使用されているものを広く使用でき、具体的には協力剤としてはピペロニルプトキサイド、オクタクロロジプロピルエーテル、ＭＧＫ２６４、サイネピリン等を、防腐剤としてはサリチル酸ナトリウム、安息香酸ナトリウム、ソルビン酸カリウム、デヒドロ酢酸ナトリウム等をそれぞれ例示できる。
【００１７】
　この発明の水中油滴型エアゾール組成物を製造するに際してはこの分野で慣用されている方法を広く使用し得る。そのうち代表的な方法として所定量の有効成分、界面活性剤、協力剤、香料等を加熱（５０〜６０℃）混合して均一粘稠液を作成した後放冷し、水を加え均一液になるまで攪拌し、また同時にクエン酸若しくはその塩を加え、得られる原液をエアゾール缶に入れ噴射剤を充填して製品とする方法等を挙げることができる。このようにして得られるこの発明の組成物は長期間苛酷条件下においても安定な状態を維持し得、所望する時にはワンタッチで微細粒子として空気中に噴射し得る。
【００１８】
　この発明において、クエン酸、およびその塩の添加量は、前記添加成分との兼ね合いもあって原液に対して約０．５％程度が好ましいが、特に限定されるものではない。
【００１９】
　この発明の水中油滴型エアゾール組成物は、鉄腐食性の傾向はまったく認められない。
【発明の効果】
【００２０】
　この発明の水中油滴型エアゾール組成物は、非コート缶に収容しても缶内部の腐食を防止することができ、エアゾール組成物の長期安定性をはかることができる。
【発明を実施するための最良の形態】
【００２１】
　以下、この発明の水中油滴型エアゾール組成物を実施例に基づき詳細に説明する。
（実施例１〜１５、比較例１６〜１９）
　表１に示した処方のエアゾール組成物を噴射剤と共に非コートのエアゾール缶に充填する。このエアゾール缶を４５°Ｃで２ケ月経変後、エアゾール缶を開いて缶内部の状態を調べた。開缶結果は、表２に示した。
【００２２】
【表１】
2004099905.tif 000002
【００２３】
【表２】
2004099905.tif 000003
【００２４】
　表２から明らかなように、実施例１〜１５までは、いずれも非コートのエアゾール缶に使用しても支障がないといえる。しかしながら、比較例１６〜１９は、すでに錆が進んでおり現時点でも使用は不可能な状態であった。
（実施例１６〜３０）
　表１に示した処方のエアゾール組成物に表３の殺虫・殺ダニ成分を配合し、噴射剤と共に非コートのエアゾール缶に充填する。そして、前記と同様このエアゾール缶を４５°Ｃで２ケ月経変後、エアゾール缶を開いて缶内部の状態を調べた。なお、これらの実施例についても前記実施例と同様の開缶結果が得られた。
【００２５】
【表３】
2004099905.tif 000004